(57)【特許請求の範囲】
【請求項１】
パチンコ遊技台で打たれるなどしたパチンコ玉を流下させて回収し、上部タンクに揚送して、再び前記パチンコ遊技台へ供給するための下部タンクを設けたパチンコ遊技装置において、
前記下部タンクの上面に設けた傾斜カバーを流下して、前記傾斜カバーの下流側から落下してくる前記パチンコ玉を前記傾斜カバーの傾斜に対して逆方向の傾斜で下方に流下させるとともに、前記パチンコ玉と一緒に落下してくるゴミやほこりを下方に落下させるための、すのこ状プレートを配置する構成と、
前記すのこ状プレートを、複数の条材を前記パチンコ玉の流下方向に沿わせるとともに、前記パチンコ玉が落ちない程度の隙間を設けて、前記下部タンクの前記パチンコ玉の流下方向と直交する方向の全体にわたる幅に敷き並べたもので構成する構成と、
前記すのこ状プレートの下側に、前記ゴミやほこりを前記下部タンクの底面側に落下させるための複数のゴミ落下孔を設けた板材部分を前記底面に対して傾斜状に配置するとともに、前記すのこ状プレートを前記板材部分に着脱自在に固定する構成と
を設けたことを特徴とするパチンコ遊技装置。
【発明の詳細な説明】
【０００１】
【発明の属する技術分野】
この発明は、パチンコ遊技装置のパチンコ遊技台で打たれるなどしたパチンコ玉を、下部タンクへ流下させて回収し、上部タンクに揚送して、再びパチンコ遊技台へ供給するための前記下部タンクの構造に関し、詳しくは、下部タンクに回収されるパチンコ玉の汚れを防止するための構造に関する。
【０００２】
【従来の技術】
従来、パチンコ遊技装置において、遊技の結果、入賞があると上部タンクから、パチンコ玉がパチンコ遊技台の上皿に払い戻される。入賞が続き、この上皿から溢れたパチンコ玉は、下皿に受けられる。この下皿には、レバーで開閉できる底蓋が設けられ、直下の玉箱に通じている。玉箱の底を開けることにより、玉箱に溜まったパチンコ玉は、内蔵された計数装置により計数され、その後に下部タンクに流下し回収される。
【０００３】
他方、打たれたパチンコ玉は、パチンコ遊技台の下部の外れ孔などから流下して、下部タンクに流下し回収される。下部タンクに回収されたパチンコ玉は、揚上装置によって、上部タンクに揚送される。
【０００４】
従来の下部タンクは、上面が開放され、流下してくるパチンコ玉を受け、底部に蓄え、次の揚上装置へ送る。この底部は、平面であった。
【０００５】
【発明が解決しようとする課題】
しかしながら、前記従来の下部タンクは、底部が平面であったので、上方からゴミやほこりが落下し入り込むと、底部でパチンコ玉に接触し、パチンコ玉を汚すものであった。
【０００６】
この発明は、以上の課題を解決するためになされたもので、入り込んだゴミやほこりによってパチンコ玉が汚れるのを防止できるパチンコ遊技装置の下部タンク構造を提供することを目的とする。
【０００７】
【課題を解決するための手段】
本発明は、上記の課題を解決するために、
パチンコ遊技台で打たれるなどしたパチンコ玉を流下させて回収し、上部タンクに揚送して、再び上記のパチンコ遊技台へ供給するための下部タンクを設けたパチンコ遊技装置において、
上記の下部タンクの上面に設けた傾斜カバーを流下して、上記の傾斜カバーの下流側から落下してくる上記のパチンコ玉を上記の傾斜カバーの傾斜に対して逆方向の傾斜で下方に流下させるとともに、上記のパチンコ玉と一緒に落下してくるゴミやほこりを下方に落下させるための、すのこ状プレートを配置する構成と、
上記のすのこ状プレートを、複数の条材を上記のパチンコ玉の流下方向に沿わせるとともに、上記のパチンコ玉が落ちない程度の隙間を設けて、上記の下部タンクの上記のパチンコ玉の流下方向と直交する方向の全体にわたる幅に敷き並べたもので構成する構成と、を設け、
【０００８】
さらに、
上記のすのこ状プレートの下側に、上記のゴミやほこりを上記の下部タンクの底面側に落下させるための複数のゴミ落下孔を設けた板材部分を上記の底面に対して傾斜状に配置するとともに、上記のすのこ状プレートを上記の板材部分に着脱自在に固定する構成
を設けたパチンコ遊技装置を提供するものである。
【０００９】
【発明の実施の形態】
この発明の一実施形態を、図１〜図４に示す。
図３および図４は、パチンコ遊技装置１００であって、パチンコ遊技台３が複数台（この図では表側に２台、裏側に２台の合計４台）が一組になってユニットにまとめられた、いわゆる島ユニットと呼ばれるものである。
【００１０】
この島ユニットにおいて、上部タンク１に溜められたパチンコ玉９は、玉貸機２に貨幣や硬貨（コイン）、プリペイドカードが入れられて玉貸機２が動作することで、所定の数が、この玉貸機２が設けられたパチンコ遊技台３の上皿３Ａに供給され、パチンコ遊技台３におけるパチンコ遊技が可能になる。
【００１１】
このパチンコ遊技台３におけるパチンコ遊技の結果、入賞があると上部タンク１から、所定の数のパチンコ玉９が流下しパチンコ遊技台３の上皿３Ａに払い戻される。打たれたパチンコ玉は、パチンコ遊技台３の下部の外れ孔３Ｂなどから流下して、下部タンク５に回収される。
【００１２】
また、パチンコ遊技台３の上皿３Ａから溢れたパチンコ玉９などが、下皿３Ｃに受けられる。下皿３Ｃには、レバー３Ｄで開閉できる底蓋が設けられ、直下の玉箱４に通じている。
【００１３】
玉箱４の底を開けることにより、玉箱４に溜まったパチンコ玉９は、図示しない計数装置により計数され、その後に下部タンク５に流下し回収される。そして、計数結果は図示しないカードなどに記録されて、遊技した人に発行される。
【００１４】
下部タンク５に回収されたパチンコ玉は、揚上装置７によって、揚送パイプ６の中を揚上され、研磨装置８によって表面を研磨されて、上部タンク１に揚送される。
【００１５】
図１に示すように、下部タンク５は、箱状の下部タンク本体１１の上面全体を覆うように、ポリカーボネートなどの透明な材質からなる傾斜カバー１３を設ける。傾斜カバー１３の傾斜は、この傾斜に沿ってパチンコ玉が流下するためのものである。傾斜カバー１３の流下方向と直交する断面形状は、波形１５であり、波形の底部にはパチンコ玉９が接触しないように、波形の隣り合った頂部同士の間にパチンコ玉９が二点支持されるようになっている。波形１５は正弦波状に形成されても、二等辺三角形状に形成されても、すのこ状に形成されても良い。また、傾斜カバー１３の断面の両端は、立ち上がり１７を形成している。
【００１６】
傾斜カバー１３の流下方向の最下流端部には、パチンコ玉９が落下できる径を有する丸い落下口１９を有するプレート２１が接続される。傾斜カバー１３とプレート２１の間には、図示しないスリットが形成される。このスリットは、パチンコ玉９の流下方向を横断し、パチンコ玉９の径の略半分（３０％から７０％）の寸法を有する。このスリットの下面には、ゴミやほこりや異物を受けるほこり容器２７が設けられる。ほこり容器２７は、着脱可能になっている。
【００１７】
丸い落下口１９を有するプレート２１の下方には、落下するパチンコ玉９を受ける受け傾斜台３３に連続して、すのこ状プレート３５が傾斜して設けられる。受け傾斜台３３およびすのこ状プレート３５の傾斜は、傾斜カバー１３の傾斜と逆方向である。
【００１８】
すのこ状プレート３５は、傾斜の方向に長く四角形断面を有する条材３５Ａを複数、敷き並べて構成され、図１（Ａ）に示すように、複数の条材３５Ａをパチンコ玉９の流下方向に沿わせるとともに、パチンコ玉３５が落ちない程度の隙間を設けて、下部タンク５のパチンコ玉９の流下方向と直交する方向の全体にわたる幅に敷き並べたもので構成する。各条材３５Ａの前後両端部および中央を支持材３５Ｂで支える。支持材３５Ｂの下面には、固定用の脚３５Ｃが、すのこ状プレート３５の四隅に設けられる。
【００１９】
すのこ状プレート３５の終端部には、略漏斗状の受け部３７が設けられる。受け部３７は中央の孔３９に向かって傾斜しており、孔３９の下部には玉樋４１が備えられ、揚上装置７に接続する。
【００２０】
図２に示すように、傾斜台３３、すのこ状プレート３５の下側の板材部分４３Ｘ、および受け部３７は、連続した板材４３で形成され、下部タンク５の底部に配置される。すのこ状プレート３５の下側には、ゴミやほこりを下部タンク５の底面５Ｘ側に落下させるための複数のゴミ落下孔４５を設けた板材部分４３Ｘを下部タンク５の底面５Ｘに対して傾斜状に配置する。さらに、固定用の脚３５Ｃが着脱自在に挿入され固定される固定孔４７を板状部分４３Ｘに設ける。
【００２１】
（実施形態の動作）
玉箱４から流下したパチンコ玉９は、傾斜カバー１３の上に受けられ、傾斜カバー１３の傾斜に沿って流下する。このとき、パチンコ玉９は、傾斜カバー１３の隣合った波形頂部同士の間に二点支持される。一方、上方からこの傾斜カバー１３の上に落下してきたゴミやほこりは、波形の底部に溜まる。したがって、パチンコ玉９は溜まったゴミやほこりに触れて汚れることが少ない。
【００２２】
さらに、パチンコ玉９の流下に伴い、傾斜カバー１３などは振動し、この振動などで、ゴミやほこりは波形の底部を流下する。やがて、ゴミやほこりは、傾斜カバー１３とプレート２１の間に形成されたスリットから落下し、ほこり容器２７に受けられ収集される。パチンコ玉９は、このスリットの上を通過する。
【００２３】
そして、パチンコ玉９は、プレート２１の落下口１９から下方へ落下する。そして、受け傾斜台３３に受けられ、すのこ状プレート３５の上を通る。スリットを通過したゴミやほこりは、すのこ状プレート３５の上に落下するが、すのこ状プレート３５を構成する条材３５Ａの間に落ち、さらに板材４３のゴミ落下孔４５から下方に落下する。
【００２４】
パチンコ玉９の数が多くなると、すのこ状プレート３５の付近に蓄えられる。パチンコ玉９は、すのこ状プレート３５を構成する条材３５Ａの四角形断面の角部に接触し、図１（Ｂ）のように蓄えられる。すのこ状プレート３５の上を通ったパチンコ玉９は、略漏斗状の受け部３７に受けられ、中央の孔３９に落ち込み、玉樋４１を通って、揚上装置７に送られる。
【００２５】
（実施形態の効果）
以上の実施形態によれば、パチンコ玉９は、下部タンク５の底部において、すのこ状プレート３５の上を通るが、ゴミやほこりは、すのこ状プレート３５を構成する条材３５Ａの間に落ち、さらに板材４３のゴミ落下孔４５から下方に落下する。よって、下部タンク５の底部にゴミやほこりが溜まりにくい。
【００２６】
しかも、パチンコ玉９は、条材３５Ａの四角形断面の角部に接触し、仮に、条材３５Ａの上にゴミやほこりが溜まった場合でも、ゴミやほこりに接触しにくく、パチンコ玉９が汚れにくい。
【００２７】
すのこ状プレート３５は、固定用の脚３５Ｃを、下部タンク５の底部の固定孔４７に着脱自在に挿入することで固定されるので、容易に取り外して清掃することができる。
【００２８】
（他の実施形態）
以上の実施形態では、条材３５Ａは四角形断面であったが、他の実施形態では、他の断面、例えば逆三角形断面であっても良い。
【００２９】
また、以上の実施形態では、ゴミ落下孔４５から落下したゴミやほこりは、下部タンク５の底面５Ｘに溜まるが、他の実施形態では、このゴミやほこりを受けるダストパンを下部タンク５の下側に着脱自在に設けても良い。
【００３０】
【発明の効果】
以上説明したように、この発明によれば、下部タンクの底部においてパチンコ玉は、すのこ状プレートの上を通るが、ゴミやほこりは、すのこ状プレートの間に落ちるので、下部タンクの底部にゴミやほこりが溜まりにくく、よってパチンコ玉が汚れにくい。
【００３１】
また、この発明によれば、さらに、すのこ状プレートから落ちたゴミやほこりは、下部タンクの底部のゴミ落下孔から外に排出され、下部タンクの内部をきれいな状態にできる。
【００３２】
また、すのこ状プレートは、固定手段により、下部タンク５の底部に着脱自在に固定されるので、容易に取り外して清掃することが簡単である。
【図面の簡単な説明】
【図１】（Ａ）は、この発明の一実施形態にかかる下部タンクの斜視図
（Ｂ）は、（Ａ）の要部拡大図である。
【図２】図１（Ａ）の要部の分解斜視図である。
【図３】図１の下部タンクを有するパチンコ遊技装置の全体斜視図である。
【図４】図２のパチンコ遊技装置におけるパチンコ玉の流れを示す回路図である。
【符号の説明】
１  上部タンク
３  パチンコ遊技台
５  下部タンク
７  揚上装置
９  パチンコ玉
１１  下部タンク本体
１３  傾斜カバー
１５  波形
１９  落下口
２１  プレート
２７  ほこり容器
３３  すのこ状のプレート
４５  ゴミ落下孔
３５Ｃ  脚（固定手段）
４７  固定孔（固定手段）
【図１】
0004294749.tif 000002
【図２】
0004294749.tif 000003
【図３】
0004294749.tif 000004
【図４】
0004294749.tif 000005